(57)【要約】【課題】蛍光管他各種電灯の取替作業を容易に、安心して、安全に、かつ効率的に行う。【解決手段】脚立４に電灯取替作業支援装置１を備える。この装置１は電灯収容ケース２と、ケース支持装置３とを備え、電灯収容ケース２をケース支持装置３により脚立４の側方に沿って任意の高さに支持し、電灯を電灯収容ケース２の開口２０から差し込むだけで、電灯を電灯収容ケース２に弾性的に捕捉し、弾性的に拘束する。【選択図】  図９
2004197507.tif 000002
【特許請求の範囲】
【請求項１】
少なくとも上面に開口を有し、複数の電灯をそれぞれ上下方向に立てて収容可能な収容空間と、収容空間の内周に突設され、各電灯の周囲に弾性的に当接して各電灯を起立した状態に支持可能な収容保持部材とを具備する電灯収容ケースと、
電灯収容ケースを脚立又は梯子の側方に沿って、任意の高さに支持可能なケース支持装置とを備え、
電灯収容ケースの開口から差し込まれた電灯を弾性的に捕捉し、収容空間に支持された電灯を弾性的に拘束することを特徴とする電灯取替作業支援装置。
【請求項２】
電灯収容ケースは、長さの異なる複数の電灯を混在可能に、底の高さを調整する高さ調整部を具備する請求項１に記載の電灯取替作業支援装置。
【請求項３】
電灯収容ケースは、少なくとも開口を外側に向けて拡開する開口縁部又は湾曲部が形成される請求項１又は２に記載の電灯取替作業支援装置。
【請求項４】
請求項１乃至３のいずれかに記載の電灯取替作業支援装置を備えたことを特徴とする脚立。
【請求項５】
請求項１乃至３のいずれかに記載の電灯取替作業支援装置を備えたことを特徴とする梯子。
【発明の詳細な説明】
【０００１】
【発明の属する技術分野】
本発明は、脚立又は梯子に乗って行う電灯の取替作業に利用する電灯取替作業支援装置並びにこれを備えた脚立及び梯子に関する。
【０００２】
【従来の技術】
一般に、蛍光管、電球などの電灯は天井に取り付けられているため、電灯が切れると、その取替作業は脚立に乗って行われる。この場合、１人で作業を行おうとすると、まず脚立に乗り、切れた電灯を取り外して、脚立を降り、切れた電灯を脚立の傍らに置く。そして、取替用の電灯を持ってまた脚立に乗り、その電灯を取り付けて脚立を降りる。つまり、脚立の乗り降りが２度行われる。因みに、この脚立の乗り降りを１度だけにするためには、脚立上で作業を行う者から、取り外された電灯と取替用の電灯を受け渡しする補助者が必要で、少なくとも合計２人の人員が必要になる。
また、この取替作業を行う者は、作業を行うに当り、作業場所へ脚立と共に取替用の電灯を持ち運び、作業が終わると、作業場所から脚立と共に取り外された電灯を持ち運び、常に電灯を手にしなければならない。
電灯はガラス製で手から滑りやすく、床に落とせば簡単に破損し、特に蛍光管の場合、ガラス製の管にガスが封入され、僅かな衝撃でも破裂するおそれがあるので、その取り扱い及び持ち運びには十分な注意が必要になっている。
特に、ビルメンテナンス業務では、この種の電灯の取替作業が日常的に行われていて、その数も多く、作業は容易ではない。
【０００３】
このような電灯の取替作業を改善するために、脚立に蛍光管を収容できるようにしたものがある。この脚立には、脚の下部に上方に向けて開口を有する有底筒状の蛍光灯受け具が固定され、この脚立の上部に円筒状の蛍光灯保持リングが固定されて、これら蛍光灯受け具と蛍光灯保持リングにより、蛍光灯を保持できるようになっている。この脚立により、蛍光灯の取替作業の効率化、安全化を図ることができる（例えば、特許文献１参照）。
【０００４】
【特許文献１】
実開平７−２３１９９号公報（第５−６頁、図２）
【０００５】
【発明が解決しようとする課題】
しかしながら、上記従来の脚立では、有底筒状の蛍光灯受け具と、円筒状の蛍光灯リングとにより、複数の蛍光管を脚立の脚の上下方向に立てて保持するため、蛍光管を１本１本収容していくうちに、蛍光管同士が接触してカチャカチャと音がなり、少し強く差し込もうとすると蛍光管同士が強く接触して破損する虞があり、また、脚立と共に蛍光管を持ち運ぶときに、蛍光管同士が接触して同様に音がなり、この蛍光灯リング及び蛍光灯受け具に最大限に蛍光管が入っていないと、これらの蛍光管が拘束されず、相互に強く接触すれば、破損する虞があり、蛍光管の取替作業を行う者が安心して、また効率的に作業を行うことができないという問題がある。
本発明は、このような従来の問題を解決するものであり、蛍光管他各種電灯の取替作業を容易に、安心して、安全に、かつ効率的に行い得る電灯取替作業支援装置並びにこれを備えた脚立及び梯子を提供することを目的とする。
【０００６】
【課題を解決するための手段】
上記目的を達成するために、本発明の電灯取替作業支援装置は、少なくとも上面に開口を有し、複数の電灯をそれぞれ上下方向に立てて収容可能な収容空間と、収容空間の内周に突設され、各電灯の周囲に弾性的に当接して各電灯を起立した状態に支持可能な収容保持部材とを具備する電灯収容ケースと、電灯収容ケースを脚立又は梯子の側方に沿って、任意の高さに支持可能なケース支持装置とを備え、電灯収容ケースの開口から差し込まれた電灯を弾性的に捕捉し、収容空間に支持された電灯を弾性的に拘束するものである。
また、本発明の脚立は、上記電灯取替作業支援装置を備えたものである。
また、本発明の梯子は、上記電灯取替作業支援装置を備えたものである。
この構成により、電灯の取替作業に際して、脚立又は梯子に乗って取り外した電灯を、脚立又は梯子から降りることなしに、脚立又は梯子側方の電灯収容ケースに差し込むだけでよく、この場合に、電灯を強く差し込んでも、この電灯は収容保持部材により弾性的に捕捉されるので破損することがなく、電灯収容ケースに複数の電灯を差し入れていても各電灯が収容保持部材により弾性的に支持されているので、続けて電灯を差し込んでも、同様にこの電灯は収容保持部材により弾性的に捕捉され、破損することがない。このようにして複数の電灯が電灯収容ケースに収容され、各電灯が収容保持部材により弾性的に支持されるので、電灯収容ケースに電灯が最大限に入っていなくても電灯同士の接離に起因する音の発生や破損の虞がない。脚立と共に電灯を持ち運ぶときも同様である。さらに、電灯の取替作業の前に、取替用の電灯を収容ケースに収容し、作業現場まで持ち運ぶ場合も同様である。
また、この電灯収容ケースを脚立又は梯子の側方に沿って、任意の高さに支持することができるので、電灯の取替作業を行う者が電灯収容ケースを電灯の出し入れし易い高さに調整することができる。
したがって、蛍光灯他各種電灯の取替作業を容易に、安心して、安全に、かつ効率的に行うことができる。
【０００７】
本発明はまた、次のように具体化される。
第１に、電灯収容ケースは、長さの異なる複数の電灯を混在可能に、底の高さを調整する高さ調整部を具備する。
これにより、長さの異なる複数の電灯を同一の電灯収容ケースに収容することができ、複数の異なる電灯の取替作業に有用である。
第２に、電灯収容ケースは、少なくとも開口を外側に向けて拡開する開口縁部又は湾曲部が形成される。
これにより、電灯収容ケースに電灯を最大限に入れても、開口内に手を入れ易くすることができ、電灯の取り出しを容易に行うことができる。
【０００８】
【発明の実施の形態】
図１乃至図１１に、本発明の一実施の形態を示している。図１において、電灯取替作業支援装置１は、蛍光管用に構成されたもので、蛍光管収容ケース２と、ケース支持装置３とを備えている。
【０００９】
図２に示すように、蛍光管収容ケース２は、プラスチック材又はアルミニウムなどの金属材からなり、水平断面が略長方形の有底筒状に形成されて、その上面とこれに連続する幅の小さい一方の端面（以下、前面という。）上部に開口２０を有し、複数の蛍光管５を収容可能な収容空間２１と、収容空間２１の内周に突設され、各蛍光管５の周囲に弾性的に当接して各蛍光管５を起立した状態に支持可能な収容保持部材２２とを具備している。
図３に示すように、開口２０は上面側の開口縁部２０３全体が外側に向けて斜めに形成されて、上面側の開口２０１が前面側の開口２０２よりも拡開されている。
図１に示すように、収容空間２１は、複数の蛍光管５をそれぞれ上下方向に立てて、（前面から見て）左右２列にして所定本数ずつ配列可能な幅及び奥行きと、さらに各蛍光管５の一端部を上面側の開口２０１から突出可能な高さが設定されている。なお、この実施の形態では、蛍光管５は蛍光管収容ケース２の上部から突出させているが、蛍光管５全体が蛍光管収容ケース２内に収まるようにしてもよい。また、この蛍光管収容ケース２は、図４に示すように、長さ（ワット数）の異なる複数の蛍光管５を混在可能に、底部２１０の高さを調整する高さ調整部として、収容空間２１の底部２１０に段差部２１１が形成され、奥側の底面２１２が２０ワット用の短い蛍光管５を収容可能に高く、手前側の底面２１３が４０ワット用の長い蛍光管５を収容可能に低く設定されている。なお、奥側の底面２１２の下部には小空間が画成され、この小空間に対応する蛍光管収容ケース２の一方の側面（以下、右側面という。）の下部に開閉部２１４が設けられて、ここに小物入れ２１５が形成されている。
【００１０】
図２に示すように、収容保持部材２２は、蛍光管収容ケース２の開口２０内周縁に形成された複数の弾性挟持片２２１により構成されている。ここで複数の弾性挟持片２２１は、シリコンゴムなどにより（複数の）左右一対の小片として形成され、上面側の開口２０１上を塞ぐ蓋部２２２として、また、前面側の開口２０２上で開閉される扉部２２３として構成されている。蓋部２２２は、全体が上面側の開口２０１を閉塞可能な大きさの略長方形状の薄い平板から、短手方向（左右方向）に２等分、長手方向（前後方向）に向けて均等に分割された複数の略矩形状の小片からなり、これら２列をなす各小片の一側縁部が開口縁部２０３よりも下がった位置（図２中、拡開されていない部分の開口２０位置）の、左右内側縁部にヒンジ結合されて、左右の各小片が上下方向に屈曲変形（弾性変形）できるように構成されている。一方、扉部２２３は、蓋部２２２の前面側端部に対して略直角方向に隣接する２つの矩形状の小片（この場合、横方向の寸法は蓋部２２２の小片の横方向の寸法と同じ、縦方向の寸法は蓋部２２２の小片の奥行方向の寸法よりも少し大きい）からなり、それぞれその一側縁部が開口縁部２０３よりも下がった位置（図２中、拡開されていない部分の開口２０位置）から下の、前面側の開口２０２の左右内側縁部にヒンジ結合されて、前面側の開口２０２上部で左右の２つの小片が対向配置され、左右の各小片が前後方向に屈曲変形（弾性変形）できるように構成されている。なお、この実施の形態では、この扉部２２３の各小片を前面側の開口２０２の上部にのみ設けているが、前面側の開口２０２の高さ方向中間部に追加して設けてもよい。またこの扉部２２３を小片に代えて、ブラシ状又はハケ状の部材としてもよく、この場合においても、前面側の開口２０２の上部乃至中間部に複数設けてもよい。
【００１１】
図５に示すように、ケース支持装置３は、脚立４側（又は梯子側）に取り付けられる固定側レール３１と、蛍光管収容ケース２側に取り付けられる可動側レール３６と、これらレール３１、３６間に取り付けられるケース駆動装置３７とを備えている。
固定側レール３１、可動側レール３６は、あり溝の係合面を有し、固定側レール３１は水平断面が略コ字形の、上下方向に所定の長さを有する取り付け部材３２にその外側中間面の上下方向に沿って一体的に取り付けられ、可動側レール３６は蛍光管収容ケース２の側面（左側面）に一体的に取り付けられ、固定側レール３１はその取り付け部材３２が脚立４（又は梯子）の一方の脚部４１に２つ又は３つの止め具３３により締め込まれて固定され、この固定側レール３１に対して、蛍光管収容ケース２の可動側レール３６が上下方向に摺動可能に装着される。なお、図５では、取り付け部材３２の止め具３３に水平断面が略コ字形のベルト状部材を用い、脚立４（又は梯子）の脚部４１を取り付け部材３２に嵌め込んだ後、その両側２面間に止め具３３をボルト３４、ナット３５により結合することにより、取り付け部材３２を脚部４１に緊縛するように例示しているが、この取り付け部材３２の固定方法は周知の手法から適宜選定してもよい。
ケース駆動装置３７は、ラック３８とピニオン３９、減速機付きのモータ３７１、図示されないバッテリなどにより構成されている。この場合、ラック３８は、固定側レール３１と略同じ長さを有し、取り付け部材３２の前面に固定側レール３１と平行に取り付けられている。ピニオン３９はモータ３７１に軸支され、このモータ３７１がバッテリとともに蛍光管収容ケース２の左側面下部に、可動側レール３６に近接して取り付けられている。なお、これらピニオン３９、モータ３７１、バッテリなどの上にはカバー３７２が被せ着けられ、このカバー３７２の表面にモータ３７１のОＮ／ОＦＦ切り替え用のスイッチ３７３が設けられる。このスイッチ３７３は、蛍光管収容ケース２の開口２０の外側周縁部付近に設けてもよく、また、スイッチ３７３をリモコンに代えることもできる。
【００１２】
この実施の形態の場合、この電灯取替作業支援装置１は、図１に示すように、脚立４に取り付けられている。この場合、図５に示すように、固定側レール３１及びラック３８が脚立４の一脚部４１に取り付けられ、この固定側レール３１に可動側レール３６が係合されるとともにラック３８とピニオン３９が歯合されて、ケース支持装置３７が脚立４の一側部に構成され、このケース支持装置３７により蛍光管収容ケース２が脚立４の側方に沿って任意の高さに支持可能に設置される。なお、脚立４には一般に知られている構造が採用されているので、ここではその説明を省略する。
【００１３】
次に、この電灯取替作業支援装置１及びこれを備えた脚立４の動作について、図４及び図６乃至図９を用いて説明する。なお、ここでは、電灯取替作業支援装置１を４０ワット用の蛍光管５と２０ワット用の蛍光管５の取替作業に利用するものとする。
【００１４】
まず、図４に示すように、蛍光管収容ケース２に取替用の新しい蛍光管５を収容する。この場合、蛍光管５を１本ずつ前面側の開口２０２又は上面側の開口２０１から収容空間２１内に差し込んでいく。４０ワットの蛍光管５の場合、図６に示すように、蛍光管５を前面側の開口２０２から斜めに、収容空間２１の手前側の（低い）底面２１３の奥に向けて差し入れる。そして、この蛍光管５を立てて、弾性挟持片２２１の扉部２２３、蓋部２２２を押し開く。このとき、蛍光管５は収容空間２１内周の弾性挟持片２２１により弾性的に捕捉され、破損することがない。すなわち、扉部２２３の各小片が前面側の開口２０２から後方に屈曲（弾性）変形されるとともに、蓋部２２２の各小片が下方（又は上方）に屈曲（弾性）変形されて蛍光管５の周囲に弾性的に当接し、蛍光管５は立てられたままで、その一端部が上面側の開口２０１から上方に突出された状態に支持される。同様にして次の４０ワットの蛍光管５が最初の蛍光管５の隣り又は手前に差し入れられる。このようにして、図７に示すように、４０ワットの蛍光管５が必要な本数だけ収容空間２１の手前側の底面２１３上に収容される。また、このようにして収容された複数の蛍光管５は上面側の開口２０１及び前面側の開口２０２の弾性挟持片２２１により弾性的に拘束され、蛍光管収容ケース２に蛍光管５が最大限に入っていなくても蛍光管５同士の接離に起因する音の発生や破損の虞がない。なお、図８に示すように、４０ワットの蛍光管５を上面側の開口２０１から差し込んでもよく、この場合でも、蛍光管５は同様に上面側の開口２０１及び前面側の開口２０２の弾性挟持片２２１により弾性的に支持される。
【００１５】
次に、２０ワットの蛍光管５の場合、図８に示すように、蛍光管５を上面側の開口２０１から真直ぐに、収容空間２１の奥側の（高い）底面２１２の奥に向けて差し入れる。このとき、蛍光管５で弾性挟持片２２１の蓋部２２２が押し開かれて、蛍光管５は弾性挟持片２２１により弾性的に捕捉されるので、破損することがない。すなわち、蓋部２２２の各小片が上面側の開口２０１から下方に屈曲変形されて蛍光管５の周囲に弾性的に当接し、蛍光管５は立てられたままで、その一端部が上面側の開口２０１から上方に突出された状態に支持される。同様にして次の２０ワットの蛍光管５が最初の蛍光管５の隣り又は手前に差し入れられる。このようにして、図７に示すように、２０ワットの蛍光管５が必要な本数だけ収容空間２１の奥側の底面２１２上に収容される。また、このようにして収容された複数の蛍光管５は上面側の開口２０１の弾性挟持片２２１により弾性的に拘束され、蛍光管収容ケース２に蛍光管５が最大限に入っていなくても蛍光管５同士の接離に起因する音の発生や破損の虞がない。
【００１６】
このようにして取替用の蛍光管５が蛍光管収容ケース２に収容されると、脚立４が取替用の蛍光管５と共に作業現場へ持ち運ばれる。この場合、複数の蛍光管５は蛍光管収容ケース２の、上面側の開口２０１の弾性挟持片２２１により弾性的に拘束されているので、蛍光管収容ケース２に蛍光管５が最大限に入っていなくても蛍光管５同士の接離に起因する音の発生や破損の虞がない。
【００１７】
図９に示すように、作業現場では、まず脚立４が立てられて、蛍光管収容ケース２の高さが、蛍光管５の取替作業を行う者（以下、単に作業者という。）の身長やこの作業に際して乗る脚立４の踏み板４２の位置、あるいは作業姿勢に応じて、任意に設定される。この場合、蛍光管収容ケース２左側面のスイッチ３７３をОＮしてケース支持装置３のケース駆動装置３７を起動する。これにより、蛍光管収容ケース２の可動側レール３６が脚立４の脚部４１に取り付けられた固定側レール３１上を下方から上方に向けて上昇駆動され、蛍光管収容ケース２が脚立４の一側方に沿って上昇される。蛍光管収容ケース２が所望の高さまで上昇されたところで、スイッチ３７３をОＦＦしてケース駆動装置３７の作動を停止する。
作業者が脚立４の踏み板４２を上がって、蛍光管５の取替作業が行われると、取り外された蛍光管５と取替用の蛍光管５が蛍光管収容ケース２に出し入れされる。
【００１８】
４０ワットの蛍光管５を取り替える場合、図６に示すように、取り外された蛍光管５を蛍光管収容ケース２の前面側の開口２０２から斜めに、収容空間２１の手前側の底面２１３に向けて差し入れる。そして、この蛍光管５を立てて、弾性挟持片２２１の扉部２２３、蓋部２２２を押し開く。このとき、蛍光管５は収容空間２１内周の弾性挟持片２２１により弾性的に捕捉され、破損することがない。すなわち、扉部２２３の各小片が前面側の開口２０２から後方に屈曲変形されるとともに、蓋部２２２の各小片が下方に屈曲変形されて蛍光管５の周囲に弾性的に当接し、蛍光管５は立てられたままで、その一端部が上面側の開口２０１から上方に突出された状態に支持される。なお、取替用の蛍光管５が蛍光管収容ケース２の上面側の開口２０１から取り出され、取り付け先に取り付けられる。
さらに、４０ワットの蛍光管５を取り替える場合、同様の作業が行われる。このようにして４０ワットの蛍光管５が必要な本数だけ取り替えられる。図７に示すように、このようにして収容された複数の蛍光管５は取り外されたもの、取替用のものに関わらず、上面側の開口２０１及び前面側の開口２０２の弾性挟持片２２１により弾性的に拘束されるので、蛍光管収容ケース２に蛍光管５が最大限に入っていなくても蛍光管５同士の接離に起因する音の発生や破損の虞がない。なお、図８に示すよう、４０ワットの蛍光管５を上面側の開口２０１から差し込んでもよく、この場合でも、蛍光管５は同様に上面側の開口２０１及び前面側の開口２０２の弾性挟持片２２１により弾性的に支持される。
【００１９】
２０ワットの蛍光管５を取り替える場合、図８に示すように、蛍光管５を上面側の開口２０１から真直ぐに、収容空間２１の奥側の底面２１２に向けて差し入れる。このとき、蛍光管５で弾性挟持片２２１の蓋部２２２が押し開かれて、蛍光管５は弾性挟持片２２１により弾性的に捕捉されるので、破損することがない。すなわち、蓋部２２２の各小片が下方に屈曲変形されて蛍光管５の周囲に弾性的に当接し、蛍光管５は立てられたままで、その一端部が上面側の開口２０１から上方に突出された状態に支持される。なお、取替用の蛍光管５が蛍光管収容ケース２の上面側の開口２０１から取り出され、その取り付け先に取り付けられる。
さらに、２０ワットの蛍光管５を取り替える場合、同様の作業が行われる。このようにして２０ワットの蛍光管５が必要な本数だけ取り替えられる。図７に示すように、このようにして収容された複数の蛍光管５は取り外されたもの、取替用のものに関わらず、上面側の開口２０１及び前面側の開口２０２の弾性挟持片２２１により弾性的に拘束され、蛍光管収容ケース２に蛍光管５が最大限に入っていなくても蛍光管５同士の接離に起因する音の発生や破損の虞がない。
【００２０】
このようにして蛍光管５の取替作業が終了すると、脚立４が取り外された蛍光管５と共に倉庫など脚立４の収納先へ持ち運ばれる。この場合、複数の蛍光管５は取り外されたもの、取替用のものに関わらず、蛍光管収容ケース２の、上面側の開口２０１の弾性挟持片２２１により弾性的に拘束されているので、蛍光管収容ケース２に蛍光管５が最大限に入っていなくても蛍光管５同士の接離に起因する音の発生や破損の虞がない。
【００２１】
このように上記実施の形態の電灯取替作業支援装置１及びこれを備えた脚立４によれば、蛍光管収容ケース２と、ケース支持装置３とを備え、蛍光管収容ケース２の開口２０から差し込まれた蛍光管５を弾性的に捕捉し、収容空間２１に支持された蛍光管５を弾性的に拘束するようにしているので、蛍光管５の取替作業に際して、脚立４に乗って取り外した蛍光管５を脚立４側方の蛍光管収容ケース２に差し込んだときに、この蛍光管５は収容保持部材２２により弾性的に捕捉されるので破損することがなく、蛍光管収容ケース２に複数の蛍光管５を差し入れていても各蛍光管５が収容保持部材２２により弾性的に支持されているので、続けて蛍光管５を差し込んでも、同様にこの蛍光管５は収容保持部材２２により弾性的に捕捉され、破損することがない。このようにして複数の蛍光管５が蛍光管収容ケース２に収容され、各蛍光管５が収容保持部材２２により弾性的に拘束されるので、蛍光管収容ケース２に蛍光管５が最大限に入っていなくても蛍光管５同士の接離に起因する音の発生や破損の虞がない。脚立４と共に蛍光管５を持ち運ぶときも同様である。さらに、蛍光管５の取替作業前に、取替用の蛍光管５を蛍光管収容ケース２に収容し、作業現場まで持ち運ぶ場合も同様である。
また、この蛍光管収容ケース２を脚立４の側方に沿って、任意の高さに支持することができるので、作業者が蛍光管収容ケース２を蛍光管５の出し入れし易い高さに調整することができる。
したがって、蛍光管５他各種電灯の取替作業を容易に、安心して、安全に、かつ効率的に行うことができる。
【００２２】
また、蛍光管収容ケース２に、長さの異なる２種類の蛍光管５を混在可能に、底部２１０の高さを調整する高さ調整部（段差部２１１）を設けているので、長さの異なる２種類の蛍光管５を同一の蛍光管収容ケース２に収容することができ、２種類の異なる蛍光管５の取替作業に有用である。また、ここで高さ調整部を小物入れ２１５として構成しているので、この小物入れ２１５にグローランプやねじなどの部品類、ドライバーなどの工具類を収納することができる。また、この高さ調整部を構成する段差部２１１を着脱可能に形成してもよく、この段差部２１１を取り外したときに蛍光管収容ケース２を４０ワット専用に変えることもできる。さらに、高さ調整部を、図１０に示すように、収容空間２１の低い底面２１３上の第２の底板をなす昇降板２１６、収容空間２１の低い底面２１３上で昇降板２１６を昇降案内する昇降ガイド２１７、収容空間２１の低い底面２１３上で昇降板２１６を所定の高さに止めるストッパ２１８などにより構成し、収容空間２１の低い底面２１３上で昇降板２１６を所定の高さに固定するようにしてもよい。この昇降板２１６により段差部２１１を無くすことにより、蛍光管収容ケース２を２０ワット専用に変えることができる。
また、蛍光管収容ケース２の開口２０を外側に向けて拡開する開口縁部２０３を形成しているので、蛍光管収容ケース２に蛍光管５を最大限に入れても、開口２０内に作業者の手を容易に入れることができ、蛍光管５の取り出しを容易に行うことができる。なお、蛍光管収容ケース２の一側面に、図１１に示すように、外側に向けて膨出する湾曲部２０４を形成することにより、開口２０を外側に向けて拡開してもよい。このようにしても同様に、開口２０内に作業者の手を入れ易くして、蛍光管５の取り出しを容易に行うことができる。
【００２３】
なお、上記実施の形態では、収容保持部材２２を弾性挟持片２２１により構成しているが、この収容保持部材２２を、収容空間２１の内周面に複数の弾性突起を形成して構成することもできる。この場合、複数の弾性突起は、塩化ビニールなどにより、一つ一つが柔軟性を有する小突起状又はブラシ状若しくはハケ状又は針状（起毛状を含む）に形成され、開口縁部２０３よりも下がった位置（図２中、拡開されていない部分の開口２０位置）から下の、収容空間２１の内周面全体に又はその一部に一体的に収容空間２１の内方に向けて突設されて、これらの弾性突起が、上下方向にまた前後方向に屈曲変形（弾性変形）できるように構成される。このようにしても弾性挟持片２２１と同様の作用効果を奏することができる。
また、上記実施の形態では、ケース支持装置３をモータ駆動にして、蛍光管収容ケース２の高さを任意の高さに設定するようにしているが、固定側レール３１と可動側レール３６とを（又はこれらに代わる係合部材を）ラチェット機構や摩擦係合機構など各種制動手段により係合させて、手動で蛍光管収容ケース２の高さを設定するようにしてもよい。この場合、蛍光管収容ケース２の開口２０の外周面などに取手など把持部を設けて、蛍光管収容ケース２を直接、手で引き上げるようにしてもよく、また、ピニオン３９（又は駆動部）をハンドルやレバーなどを介して手動で回転（又は駆動）させて、蛍光管収容ケース２を昇降させるようにしてもよく、その他周知の各種手動手段を用いることができる。また、ケース支持装置３を上下方向に伸長可能な支持台で構成し、この支持台に蛍光管収容ケース２を設置するようにしてもよい。
また、上記実施の形態では、電灯取替作業支援装置１を装着した脚立４を例示しているが、この電灯取替作業支援装置１を一般に知られている構造の梯子にも略同様にして付設することができ、この梯子を上記脚立と概ね同様に用いることにより、上記脚立と略同様の作用効果を奏することができる。また、この電灯取替作業支援装置１を単体として提供することもでき、既存の脚立や梯子に後付けにより取り付けることもできる。
【００２４】
【発明の効果】
以上説明したように、本発明の電灯取替作業支援装置並びにこれを備えた脚立及び梯子によれば、電灯収容ケースと、ケース支持装置とを備え、電灯収容ケースを脚立又は梯子の側方に沿って任意の高さに支持し、電灯を電灯収容ケースの開口から差し込むだけで、電灯を電灯収容ケースに弾性的に捕捉し、弾性的に拘束するようにしているので、蛍光灯他各種電灯の取替作業を容易に、安心して、安全に、かつ効率的に行うことができる。
【図面の簡単な説明】
【図１】本発明の一実施の形態における電灯取替作業支援装置を備えた脚立の斜視図
【図２】同電灯取替作業支援装置の蛍光管収容ケースを示す斜視図
【図３】同電灯取替作業支援装置の蛍光管収容ケースのケース本体を示す斜視図
【図４】同電灯取替作業支援装置の蛍光管収容ケースに具備する高さ調整部を示す斜視図
【図５】同電灯取替作業支援装置の蛍光管収容ケース及びケース支持装置を示す水平断面図
【図６】同電灯取替作業支援装置の動作を示し、蛍光管を蛍光管収容ケースの（前面側の）開口に差し入れている状態を示す平面図
【図７】同電灯取替作業支援装置の動作を示し、蛍光管を蛍光管収容ケースに収容している状態を示す平面図
【図８】同電灯取替作業支援装置の動作を示し、蛍光管を蛍光管収容ケースの（上面側の）開口に差し入れている状態を示す平面図
【図９】同電灯取替作業支援装置の動作を示し、蛍光管収容ケースをケース支持装置により脚立の側方に沿って上昇し、その高さを調整している状態を示す斜視図
【図１０】同電灯取替作業支援装置の蛍光管収容ケースに具備する高さ調整部の変形例を示す斜視図
【図１１】同電灯取替作業支援装置の蛍光管収容ケースのケース本体の変形例を示す斜視図
【符号の説明】
１  電灯取替作業支援装置
２  蛍光管収容ケース
２０  開口
２０１  上面側の開口
２０２  前面側の開口
２０３  開口縁部
２０４  湾曲部
２１  収容空間
２１０  底部
２１１  段差部
２１２  奥側の底面
２１３  手前側の底面
２１４  開閉部
２１５  小物入れ
２１６  昇降板
２１７  昇降ガイド
２１８  ストッパ
２２  収容保持部材
２２１  弾性挟持片
２２２  蓋部
２２３  扉部
３  ケース支持装置
３１  固定側レール
３２  取り付け部材
３３  止め具
３４  ボルト
３５  ナット
３６  可動側レール
３７  ケース駆動装置
３８  ラック
３９  ピニオン
３７１  モータ
３７２  カバー
３７３  スイッチ
４  脚立
４１  脚部
４２  踏み板
５  蛍光管
【図１】
2004197507.tif 000003
【図２】
2004197507.tif 000004
【図３】
2004197507.tif 000005
【図４】
2004197507.tif 000006
【図５】
2004197507.tif 000007
【図６】
2004197507.tif 000008
【図７】
2004197507.tif 000009
【図８】
2004197507.tif 000010
【図９】
2004197507.tif 000011
【図１０】
2004197507.tif 000012
【図１１】
2004197507.tif 000013